(57)【要約】【課題】衛生管理が求められる区画でも利用できる認証システムを提供する。【解決手段】認証システム１は、作業員の虹彩認証を行う虹彩認証装置２と、作業員に付されているカラービットコードを撮影するカラービットカメラ３と、カラービットカメラ３の撮影画像から、カラービットＩＤ等の識別情報を読み取るカラービット読取装置４と、虹彩認証装置２からのＵＵＩＤと、カラービット読取装置４が読み取った識別情報とを紐付けて記憶する紐付けＤＢ５１を有し、作業員の所在を管理する管理装置５とを備える。【選択図】図５
2019204380.tif 000002
【特許請求の範囲】
【請求項１】
管理区域に入場する人物を非接触で生体認証する非接触型生体認証装置と、
前記管理区域に入場する人物に付されている、前記人物毎に固有の識別情報を表す識別媒体を撮影する第１撮影カメラと、
前記第１撮影カメラの撮影画像から、前記管理区域に入場する人物の識別情報を読み取る識別情報読取装置と、
前記非接触型生体認証装置による生体認証に関連した生体認証関連情報と、前記識別情報読取装置が読み取った識別情報とを関連付けて記憶する関連付けデータベースを有し、前記管理区域内で前記人物の所在を管理する管理装置と、を備える認証システムであって、
前記識別情報の読取結果に基づいて、前記識別情報読取装置が当該人物の識別情報を読み取れたか否かを判定し、前記識別情報を読み取れた場合、前記関連付けデータベースを参照し、読み取った当該人物の識別情報が他の人物に関連付けられていないか否かを判定し、前記生体認証の結果に基づいて、前記非接触型生体認証装置が当該人物の生体認証に成功したか否かを判定する関連付け処理手段、を備え、
前記関連付け処理手段は、当該人物の生体認証に成功し、かつ、読み取った当該人物の識別情報が前記他の人物に関連付けられていない場合、当該人物に前記管理区域への入場を許可し、当該人物の生体認証関連情報と識別情報とを関連付けて前記関連付けデータベースに登録することを特徴とする認証システム。
【請求項２】
前記関連付け処理手段は、当該人物の生体認証に失敗した場合、当該人物の識別情報を読み取れない場合、又は、読み取った当該人物の識別情報が前記他の人物に関連付けられている場合、当該人物に前記管理区域への入場を許可しないことを特徴とする請求項１に記載の認証システム。
【請求項３】
前記管理区域は、さらに小区域に区分され、
前記小区域の出入口の外側及び内側で前記人物を撮影する一組の第２撮影カメラ、をさらに備え、
前記識別情報読取装置は、それぞれの前記第２撮影カメラの撮影画像から、前記小区域に出入りする人物の識別情報を読み取り、
前記管理装置は、それぞれの前記第２撮影カメラの撮影画像から読み取った識別情報が前記関連付けデータベースに登録されているか否かを判定する所在管理手段、をさらに備え、
前記所在管理手段は、
前記識別情報が前記関連付けデータベースに登録されていない場合、前記人物に前記小区域への入場を許可せず、
前記出入口の外側から内側の順で同一の前記識別情報を読み取った場合、前記人物が前記小区域に入場したことを所在管理データベースに登録し、
前記出入口の内側から外側の順で同一の前記識別情報を読み取った場合、前記人物が前記小区域から退場したことを前記所在管理データベースに登録することを特徴とする請求項１又は請求項２に記載の認証システム。
【請求項４】
前記管理区域から退場する人物を撮影する第３撮影カメラ、をさらに備え、
前記識別情報読取装置は、前記第３撮影カメラの撮影画像から、前記管理区域より退場する人物の識別情報を読み取り、
前記管理装置は、前記関連付けデータベースにおいて、前記管理区域から退場する人物の生体認証関連情報と識別情報との関連付けを解除する関連付け解除手段、
をさらに備えることを特徴とする請求項１から請求項３の何れか一項に記載の認証システム。
【請求項５】
前記非接触型生体認証装置は、前記人物の虹彩認証を行う虹彩認証装置であることを特徴とする請求項１から請求項４の何れか一項に記載の認証システム。
【請求項６】
前記識別媒体は、前記識別情報を色領域の変化で表す色領域識別媒体であり、
前記識別情報読取装置は、前記色領域識別媒体が表す識別情報を読み取ることを特徴とする請求項１から請求項５の何れか一項に記載の認証システム。
【請求項７】
前記管理区域は、衛生管理が求められる区画であることを特徴とする請求項１から請求項６の何れか一項に記載の認証システム。
【請求項８】
請求項１から請求項７の何れか一項に記載の認証システムを使用する食品工場又は製薬工場。
【発明の詳細な説明】
【技術分野】
【０００１】
本発明は、虹彩認証等の非接触型生体認証と、識別媒体による認証とを併用する認証システム、それを使用する食品工場及び製薬工場に関する。
【背景技術】
【０００２】
従来より、特定の人物しか進入を認めない場所への進入可否を判定する手法が提案されている（例えば、特許文献１）。特許文献１に記載の発明は、ＩＣカードによる認証と顔認証を組み合わせることで、なりすましに対する安全性と利便性の両立を図ったものである。
【先行技術文献】
【特許文献】
【０００３】
【特許文献１】特許５５８４４９５号公報
【発明の概要】
【発明が解決しようとする課題】
【０００４】
しかし、特許文献１に記載の発明は、衛生管理が求められる環境での利用が困難という問題がある。例えば、食品工場や製薬工場では、衛生管理上の理由から、作業員が帽子、手袋、マスク、作業着等の衛生装備を着用することが多い。このような状況では、作業員の顔が露出せず、顔画像の撮影が困難であることから、特許文献１に記載の発明を利用できない可能性がある。さらに、食品工場や製薬工場では、作業員がＩＣカードを手に持って認証を行うことも現実的でない。このように、特許文献１に記載の発明は、衛生管理が求められる食品工場や製薬工場での利用が困難である。
【０００５】
そこで、本発明は、衛生管理が求められる環境でも利用できる認証システム、それを使用する食品工場及び製薬工場を提供する。
【課題を解決するための手段】
【０００６】
前記した課題に鑑みて、本発明に係る認証システムは、管理区域に入場する人物を非接触で生体認証する非接触型生体認証装置と、管理区域に入場する人物に付されている、人物毎に固有の識別情報を表す識別媒体を撮影する第１撮影カメラと、第１撮影カメラの撮影画像から、管理区域に入場する人物の識別情報を読み取る識別情報読取装置と、非接触型生体認証装置の生体認証に関連した生体認証関連情報と、識別情報読取装置が読み取った識別情報とを関連付けて記憶する関連付けデータベースを有し、管理区域内で人物の所在を管理する管理装置と、を備える認証システムであって、識別情報の読取結果に基づいて、識別情報読取装置が当該人物の識別情報を読み取れたか否かを判定し、識別情報を読み取れた場合、関連付けデータベースを参照し、読み取った当該人物の識別情報が他の人物に関連付けられていないか否かを判定し、生体認証の結果に基づいて、非接触型生体認証装置が当該人物の生体認証に成功したか否かを判定する関連付け処理手段、を備え、関連付け処理手段は、当該人物の生体認証に成功し、かつ、読み取った当該人物の識別情報が他の人物に関連付けられていない場合、当該人物に管理区域への入場を許可し、当該人物の生体認証関連情報と識別情報とを関連付けて関連付けデータベースに登録する構成とした。
【０００７】
かかる認証システムによれば、非接触型生体認証と、人物に付した識別媒体による認証とを併用するので、衛生装備を着用した人物が識別媒体に触れる必要がなく、衛生管理が求められる環境でも利用できる。
【０００８】
また、本発明に係る認証システムにおいて、関連付け処理手段は、当該人物の生体認証に失敗した場合、当該人物の識別情報を読み取れない場合、又は、読み取った当該人物の識別情報が他の人物に関連付けられている場合、当該人物に管理区域への入場を許可しないことが好ましい。
【０００９】
かかる認証システムによれば、なりすましを抑制し、管理区域の安全性をより高めることができる。
【００１０】
また、本発明に係る認証システムにおいて、管理区域は、さらに小区域に区分され、小区域の出入口の外側及び内側で人物を撮影する一組の第２撮影カメラ、をさらに備え、識別情報読取装置は、それぞれの第２撮影カメラの撮影画像から、小区域に出入りする人物の識別情報を読み取り、管理装置は、それぞれの第２撮影カメラの撮影画像から読み取った識別情報が関連付けデータベースに登録されているか否かを判定する所在管理手段、をさらに備え、所在管理手段は、識別情報が関連付けデータベースに登録されていない場合、人物に小区域への入場を許可せず、出入口の外側から内側の順で同一の識別情報を読み取った場合、人物が小区域に入場したことを所在管理データベースに登録し、出入口の内側から外側の順で同一の識別情報を読み取った場合、人物が小区域から退場したことを所在管理データベースに登録することが好ましい。
【００１１】
かかる認証システムによれば、小区域単位で人物の所在を管理できるので、管理区域の安全性をより高めることができる。
【００１２】
また、本発明に係る認証システムにおいて、管理区域から退場する人物を撮影する第３撮影カメラをさらに備え、識別情報読取装置は、第３撮影カメラの撮影画像から、管理区域より退場する人物の識別情報を読み取り、管理装置は、関連付けデータベースにおいて、管理区域から退場する人物の生体認証関連情報と識別情報との関連付けを解除する関連付け解除手段、をさらに備えることが好ましい。
【００１３】
かかる認証システムによれば、紐付けを解除することで、パターン数が有限の識別媒体を有効活用することができる。
【００１４】
また、本発明に係る認証システムにおいて、非接触型生体認証装置は、人物の虹彩認証を行う虹彩認証装置であることが好ましい。
さらに、本発明に係る認証システムにおいて、識別媒体は、識別情報を色領域の変化で表す色領域識別媒体であり、識別情報読取装置は、色領域識別媒体が表す識別情報を読み取ることが好ましい。
さらに、本発明に係る認証システムにおいて、管理区域は、衛生管理が求められる区画であることが好ましい。
さらに、本発明に係る認証システムは、食品工場又は製薬工場で使用することが好ましい。
【００１５】
かかる認証システムによれば、人物が他の装置や識別媒体に触れることなく認証を行えるので、食品工場や製薬工場といった衛生管理が求められる区画で特に有効である。
【発明の効果】
【００１６】
本発明によれば、以下のような優れた効果を奏する。
本発明に係る認証システムは、非接触型生体認証と、人物に付した識別媒体による認証とを併用するので、衛生装備を着用した人物が識別媒体に触れる必要がなく、衛生管理が求められる環境でも利用できる。
【図面の簡単な説明】
【００１７】
【図１】実施形態における認証システムの概略構成図である。
【図２】図１のサニタリールームにおいて、入場専用のゲートを作業員が通過する手順を説明する説明図である。
【図３】図１の製造室において、作業員が出入口を通過する手順を説明する説明図である。
【図４】図１の食品工場において、退場専用のゲートを作業員が通過する手順を説明する説明図である。
【図５】図１の認証システムの構成を示すブロック図である。
【図６】図５の紐付けＤＢのデータ項目を説明する説明図である。
【図７】図５の所在管理ＤＢのデータ項目を説明する説明図である。
【図８】図５の権限ＤＢのデータ項目を説明する説明図である。
【図９】図５の認証システムにおける紐付け処理を示すフローチャートである。
【図１０】図５の認証システムにおける所在管理処理を示すフローチャートである。
【図１１】図５の認証システムにおける紐付け解除処理を示すフローチャートである。
【発明を実施するための形態】
【００１８】
（実施形態）
［認証システムの概要］
図１を参照し、本発明の実施形態に係る認証システム１の概要について説明する。
図１に示すように、認証システム１は、食品工場９に入場する作業員（人物）を非接触で認証し、食品工場９への入場を許可するか否かを判定するものである。さらに、認証システム１は、食品工場９に入場した作業員の所在を管理する。
【００１９】
＜食品工場＞
まず、認証システム１を詳述する前に、食品工場９について説明する。
食品工場９は、様々な食品を製造する工場であり、例えば、３つの小区画９０（９０Ａ，９０Ｂ，９０Ｓ）に区分されている。ここで、食品工場９は、壁を介して各小区画９０が区分されており、所定の出入口９１（９１Ａ，９１Ｂ，９１ＩＮ，９１ＯＵＴ）を通過しなければ、作業員が各小区画９０に入退室できない。本実施形態では、食品工場９は、製造室９０Ａと、倉庫９０Ｂと、サニタリールーム９０Ｓとに区分されている。また、食品工場９では、サニタリールーム９０Ｓの出入口９１Ｓを通過しなければ、作業員が食品工場９に入退場できない。
なお、図１では、出入口９１のブロック矢印が、作業員が出入口９１を通過できる方向を表す。
【００２０】
サニタリールーム９０Ｓは、食品製造の作業前、作業員が所定の衛生処理を行う場所である。例えば、サニタリールーム９０Ｓは、手洗い、エアシャワー等の設備や、消毒等の備品を備えている（不図示）。本実施形態では、サニタリールーム９０Ｓは、食品工場９の玄関となる出入口９１Ｓと、入場専用のゲート９１ＩＮと、退場専用のゲート９１ＯＵＴとが設けられている。つまり、ゲート９１ＩＮ，９１ＯＵＴは、一方通行であり、認証システム１と連動して開閉するセキュリティゲートとなっている。また、出入口９１Ｓは、施錠されていない扉となっている。
【００２１】
製造室９０Ａは、作業員が食品を製造する場所であり、例えば、食品製造ラインを備えている。本実施形態では、製造室９０Ａには、１箇所の出入口９１が設けられている。ここでは、食品工場９に入場できる全作業員が、製造室９０Ａに入室できることとする。このため、出入口９１Ａは、施錠されていない扉となっている。
【００２２】
倉庫９０Ｂは、製造する食品の原材料等を保管する場所であり、例えば、冷蔵庫や冷凍庫である。本実施形態では、倉庫９０Ｂには、１箇所の出入口９１Ｂが設けられている。ここでは、衛生管理上の理由により、食品工場９に入場する全作業員のうち、特定の作業員のみが、倉庫９０Ｂに入室できることとする。つまり、倉庫９０Ｂは、入室権限が設定されている。このため、出入口９１Ｂは、認証システム１と連動して開閉する電子錠付きの扉となっている。
【００２３】
＜認証システム＞
次に、認証システム１について説明する。
図１に示すように、認証システム１は、虹彩認証装置（非接触型生体認証装置）２と、カラービットカメラ（撮影カメラ）３と、カラービット読取装置（識別情報読取装置）４と、管理装置５と、監視カメラ６と、警告灯７と、虹彩認証システム８とを備える。
【００２４】
虹彩認証装置２は、食品工場９に入場する作業員を非接触で生体認証（虹彩認証）するものである。作業員は、ゲート９１ＩＮを通過する前、瞳を虹彩認証装置２にスキャンさせる。また、虹彩認証装置２は、スキャンした瞳画像からその作業員の虹彩情報（生体情報）を生成し、生成した虹彩情報を虹彩認証システム８に認証させる。すると、虹彩認証装置２は、虹彩認証システム８から虹彩認証結果（認証の成否及び生体認証関連情報）が入力されるので、この虹彩認証結果を管理装置５に出力する。この生体認証関連情報は、ＵＵＩＤ（Universally Unique Identifier）のような、虹彩認証装置２の虹彩認証に関連した情報である。
【００２５】
ここで、識別媒体であるカラービット（登録商標）を詳細に説明する。
食品工場９に入場する作業員には、カラービットが付されている。ここで、作業員にカラービットを付すとは、作業員の人体に直接的に、又は、作業員が着用する衣類に間接的にカラービットを取り付けることをいう。本実施形態では、図２に示すように、作業員Ｗは、食品工場９に入場する前に、着用する衛生帽の正面上部にカラービットＣＢを取り付ける。例えば、作業員Ｗは、衛生帽の正面上部に予め取り付けたホルダに、カラービットＣＢが印刷された紙を収容する。この他、作業員Ｗは、カラービットＣＢが印刷された布をボタンで衛生帽の正面上部に取り付けてもよい。さらに、作業員Ｗは、カラービットＣＢが印刷されたシールを衛生帽の正面上部に貼り付けてもよい。
【００２６】
カラービットＣＢは、色領域の変化により識別情報を表す色領域識別媒体である。本実施形態では、カラービットＣＢは、赤、青及び緑の３色の並びで識別情報を表現している。図２では、ハッチングの種類がカラービットＣＢの色を表している。このカラービットＣＢは、隣り合った色により「０」又は「１」のデジタル値を表現するコードである。本実施形態では、カラービットＣＢは、そのカラービットＣＢ毎に固有の識別情報(例えば、カラービットＩＤ)を表している。例えば、カラービットＣＢは、１色を表す最小単位をセルとし、１セルが１０ピクセル以上であり、１２セルで約１００通りの情報を表現可能となり、２２セルまで１セル増える毎に表現可能な情報数が倍増する。本実施形態では、図２に示すように、カラービットＣＢは、１５個の縦長のセルが横方向に配列されている。このカラービットＣＢは、セルが連続してさえいればよく、一方向に配列されていなくともよい。
【００２７】
本実施形態では、食品工場９の管理者が、カラービットＣＢの管理を行うこととする。例えば、管理者は、カラービットＣＢの配布時、どの作業員ＷにどのカラービットＣＢを配布するのかを記録する。その記録後、管理者は、食品工場９に入場する作業員ＷにカラービットＣＢを配布する。これにより、食品工場９では、各作業員Ｗに付されているカラービットＣＢの識別情報（カラービットＩＤ)により作業員Ｗを特定可能である。例えば、食品工場９では、なりすましが発生した場合でも、なりすましに関与した作業員Ｗを容易に特定できる。
【００２８】
なお、カラービットＣＢは、以下に詳細に記載されているため、これ以上の説明を省略する。
“カラービットとは”、［online］、［平成３０年３月９日検索］、インターネット〈URL：http://www.colorbit.jp/new/?page_id=325〉
【００２９】
カラービットカメラ３は、食品工場９に入場する作業員Ｗに付されているカラービットＣＢを撮影する一般的な撮影カメラである。そして、カラービットカメラ３は、カラービットＣＢを撮影した撮影画像（カラービット画像）を、後記するカラービット読取装置４に出力する。
【００３０】
本実施形態では、認証システム１は、ゲート９１ＩＮに対応する１台のカラービットカメラ（第１撮影カメラ）３ＩＮと、ゲート９１ＯＵＴに対応する１台のカラービットカメラ（第３撮影カメラ）３ＯＵＴとを備える。また、認証システム１は、出入口９１Ａに対応するカラービットカメラ（第２撮影カメラ）３Ａを備える。このカラービットカメラ３Ａは、同一の出入口９１Ａを通過して製造室９０Ａに入退室する作業員ＷのカラービットＣＢを撮影するため、２台のカラービットカメラ３Ａ１，３Ａ２で構成される。さらに、認証システム１は、出入口９１Ｂに対応するカラービットカメラ３Ｂを備える。このカラービットカメラ３Ｂは、カラービットカメラ３Ａと同様、２台のカラービットカメラ３Ｂ１，３Ｂ２で構成される。これらカラービットカメラ３ＩＮ，３ＯＵＴ，３Ａ１，３Ａ２，３Ｂ１，３Ｂ２には、管理装置５で区別するために固有のカメラＩＤが予め付されている。
【００３１】
カラービット読取装置４は、カラービットカメラ３が撮影したカラービット画像から、食品工場９に入場する作業員Ｗの識別情報を読み取るものである。具体的には、カラービット読取装置４は、カラービットカメラ３からのカラービット画像にカラービット認識処理を施し、カラービットが表す識別情報を読み取る。そして、カラービット読取装置４は、カラービット読取結果として、カラービットカメラ３のカメラＩＤと、識別情報の読み取り成否と、読み取った識別情報とを管理装置５に出力する。
【００３２】
管理装置５は、食品工場９に入場する作業員Ｗを認証し、食品工場９への入場を許可するか否かを判定するものである。さらに、管理装置５は、食品工場９に入場した作業員Ｗの所在を管理すると共に、食品工場９内の出入口９１、監視カメラ６及び警告灯７と連携し、食品工場９内のセキュリティを管理する。
なお、管理装置５の詳細は後記する。
【００３３】
監視カメラ６は、食品工場９を監視する一般的な撮影カメラである。本実施形態では、監視カメラ６は、撮影した食品工場９の監視映像を管理装置５に出力する。本実施形態では、認証システム１は、サニタリールーム９０Ｓ、製造室９０Ａ及び倉庫９０Ｂにそれぞれ１台の監視カメラ６を備える。
【００３４】
警告灯７は、管理装置５からの指令に従って点灯又は点滅するものである。例えば、警告灯７は、作業員Ｗの入場を許可する場合に緑色で点灯し、作業員Ｗの入場を許可しない場合に赤色で点滅する。本実施形態では、認証システム１は、各出入口９１に１台の警告灯７を備える。
【００３５】
虹彩認証システム８は、虹彩ＤＢ８０を参照し、虹彩認証装置２からの虹彩情報を認証するものである。本実施形態では、管理者が、食品工場９に入場する作業員Ｗの虹彩情報、ＵＵＩＤ、人物情報（例えば、氏名、年齢、性別）を虹彩ＤＢ８０に予め登録しておく。そして、虹彩認証システム８は、虹彩認証装置２から虹彩情報が入力されると、虹彩ＤＢ８０の虹彩情報と照合し、虹彩認証結果を虹彩認証装置２に出力する。例えば、虹彩認証システム８は、虹彩認証装置２からの虹彩情報が虹彩ＤＢ８０に登録されていない場合、虹彩認証結果として、認証失敗を虹彩認証装置２に出力する。一方、虹彩認証システム８は、虹彩認証装置２からの虹彩情報が虹彩ＤＢ８０に登録されている場合、虹彩認証結果として、認証成功と、認証に成功した作業員ＷのＵＵＩＤとを虹彩認証装置２に出力する。
【００３６】
以下、認証システム１の設置について説明する。
サニタリールーム９０Ｓには、図２に示すように、ゲート９１ＩＮの近傍に虹彩認証装置２が設置されている。また、サニタリールーム９０Ｓには、ゲート９１ＩＮを通過する作業員ＷのカラービットＣＢを撮影するカラービットカメラ３ＩＮが設置されている。このカラービットカメラ３ＩＮは、ゲート９１ＩＮの天井付近に位置する。また、サニタリールーム９０Ｓには、ゲート９１ＩＮの近傍に警告灯７ＩＮが設置されている。さらに、サニタリールーム９０Ｓには、作業員Ｗのなりすましを抑止するため、サニタリールーム９０Ｓの全体を撮影できる位置に監視カメラ６（図２不図示）が設置されている。
なお、作業員Ｗのなりすましとは、例えば、虹彩認証を終えた作業員ＷのカラービットＣＢを他の作業員Ｗが装着して食品工場９に入場する等の不正行為のことである。
【００３７】
製造室９０Ａの外側には、図３に示すように、製造室９０Ａに入室する作業員ＷのカラービットＣＢを撮影するカラービットカメラ３Ａ１が設置されている。このカラービットカメラ３Ａ１は、製造室９０Ａの外側で出入口９１Ａの天井付近に位置する。また、製造室９０Ａの外側には、警告灯７Ａが設置されている。この警告灯７Ａは、製造室９０Ａの外側で出入口９１Ａの近傍に位置する。さらに、製造室９０Ａの内側には、製造室９０Ａから退室する作業員ＷのカラービットＣＢを撮影するカラービットカメラ３Ａ２が設置されている。このカラービットカメラ３Ａ２は、製造室９０Ａの内側で出入口９１Ａの天井付近に位置する。
なお、図３では、製造室９０Ａの内側に設置されているカラービットカメラ３Ａ１及び製造ラインを破線で図示した。
【００３８】
倉庫９０Ｂの外側には、製造室９０Ａと同様、カラービットカメラ３Ｂ１が設置されている。このカラービットカメラ３Ｂ１は、倉庫９０Ｂの外側で出入口９１Ｂの天井付近に位置する。また、倉庫９０Ｂの外側には、警告灯７Ｂが設置されている。この警告灯７Ｂは、倉庫９０Ｂの外側で出入口９１Ｂの近傍に位置する。さらに、倉庫９０Ｂの内側には、カラービットカメラ３Ｂ２が設置されている。このカラービットカメラ３Ｂ２は、倉庫９０Ｂの内側で出入口９１Ｂの天井付近に位置する。
【００３９】
食品工場９には、図４に示すように、カラービットカメラ３ＯＵＴが設置されている。このカラービットカメラ３ＯＵＴは、サニタリールーム９０Ｓの外側でゲート９１ＯＵＴの天井付近に位置する。これにより、カラービットカメラ３ＯＵＴは、食品工場９から退場するために、ゲート９１ＯＵＴを通過してサニタリールーム９０Ｓに入室する作業員Ｗのカラービットを撮影できる。さらに、食品工場９には、警告灯７ＯＵＴが設置されている。この警告灯７ＯＵＴは、サニタリールーム９０Ｓの外側でゲート９１ＯＵＴの近傍に位置する。
【００４０】
［管理装置の構成］
図５を参照し、管理装置５の構成について説明する。
図５に示すように、管理装置５は、登録情報ＤＢ５０と、紐付けＤＢ（関連付けデータベース）５１と、所在管理ＤＢ５２と、権限ＤＢ５３と、録画ＤＢ５４と、虹彩認証確認手段６０と、カラービット確認手段６１と、紐付け処理手段（関連付け処理手段）６２と、所在管理手段６３と、紐付け解除手段（関連付け解除手段）６４と、ゲート制御・警報手段６５と、録画検索・再生手段６６と、虹彩ＤＢ取込手段６７とを備える。
【００４１】
登録情報ＤＢ５０は、虹彩認証システム８の虹彩ＤＢ８０から、管理装置５で必要となる情報を取り込むデータベースである。本実施形態では、登録情報ＤＢ５０は、虹彩ＤＢ８０に登録されている作業員ＷのＵＵＩＤや人物情報を記憶する。この登録情報ＤＢ５０は、後記する虹彩ＤＢ取込手段６７により取り込まれる。
【００４２】
紐付けＤＢ５１は、虹彩認証装置２からのＵＵＩＤと、カラービット読取装置４が読み取った識別情報とを紐付けて（関連付けて）記憶するデータベースである。この紐付けＤＢ５１の各レコードは、後記する紐付け処理手段６２により登録され、所在管理手段６３により参照され、紐付け解除手段６４により削除される。
【００４３】
図６に示すように、紐付けＤＢ５１は、データ項目として、各作業員Ｗに配布したカラービットＣＢに固有のカラービットＩＤ（識別情報）と、その作業員ＷのＵＵＩＤ（生体認証関連情報）とを有する。つまり、紐付けＤＢ５１は、各作業員ＷのカラービットＩＤとＵＵＩＤとを関連付けている。図６の例では、紐付けＤＢ５１は、ある作業員ＷのカラービットＩＤ「０００１」と、その作業員ＷのＵＵＩＤ「０００Ａ」とを紐付けて記憶している。さらに、紐付けＤＢ５１は、別の作業員ＷのカラービットＩＤ「０００２」と、その作業員ＷのＵＵＩＤ「０００Ｂ」とを紐付けて記憶している。
【００４４】
所在管理ＤＢ５２は、各作業員Ｗの所在を管理するデータベースである。つまり、所在管理ＤＢ５２は、作業員Ｗ毎に、食品工場９への入退場日時と、製造室９０Ａ及び倉庫９０Ｂへの入退室日時とを記憶するデータベースである。この所在管理ＤＢ５２の各レコードは、紐付け処理手段６２及び所在管理手段６３により登録され、後記する録画検索・再生手段６６により参照される。
【００４５】
図７に示すように、所在管理ＤＢ５２は、データ項目として、カラービットＩＤと、出入口ＩＤと、入出区分と、時刻とを有する。
出入口ＩＤは、各出入口９１に固有のＩＤであり、例えば、「ＩＮ」がゲート９１ＩＮを表し、「Ａ」が出入口９１Ａを表し、「Ｂ」が出入口９１Ｂを表し、「ＯＵＴ」がゲート９１ＯＵＴを表す。
入出区分は、作業者が出入口９１Ａ，９１Ｂを通過した方向、つまり、製造室９０Ａや倉庫９０Ｂに入退室したかを表す。例えば、入出区分は、「Ｉ」が製造室９０Ａや倉庫９０Ｂへの入室を表し、「Ｏ」が製造室９０Ａや倉庫９０Ｂからの退室を表す。なお、ゲート９１ＩＮ，９１ＯＵＴは、一方通行のため、これらの入出区分を設定しないので、‘−’を図示した。
時刻は、作業者が各出入口９１を通過した時刻を表す。
【００４６】
図７の例では、所在管理ＤＢ５２は、カラービットＩＤ「０００１」の作業員Ｗが、２０１８年３月１日の９時にゲート９１ＩＮを通過したことを表す（食品工場９への入場）。また、所在管理ＤＢ５２は、同作業員Ｗが同日１０時に出入口９１Ａを外側から内側に通過したことを表す（製造室９０Ａへの入室）。また、所在管理ＤＢ５２は、同日１０時３０分に出入口９１Ａを内側から外側に通過したことを表す（製造室９０Ａからの退室）。さらに、所在管理ＤＢ５２は、同作業員Ｗが同日１０時４５分に倉庫９０Ｂへ入室し、同日１１時に倉庫９０Ｂから退室し、同日１２時に食品工場９から退場したことを表す。
【００４７】
権限ＤＢ５３は、各作業員Ｗの入室権限を管理するデータベースである。つまり、権限ＤＢ５３は、作業員Ｗ毎に、各出入口９１の通過可否を記憶するデータベースである。この権限ＤＢ５３の各レコードは、後記する所在管理手段６３により参照される。
図８に示すように、権限ＤＢ５３は、データ項目として、カラービットＩＤと、出入口ＩＤと、権限区分とを有する。
権限区分は、各作業員Ｗが出入口９１Ｂを通過できる否か、つまり、倉庫９０Ｂへの入室権限が与えられているか否かを表す。例えば、権限区分は、「ＯＫ」が通過できることを表し、「ＮＧ」が通過できないことを表す。
【００４８】
図８の例では、カラービットＩＤ「０００１」の作業員Ｗが出入口９１Ｂを通過できることを表し、カラービットＩＤ「０００２」の作業員Ｗが出入口９１Ｂを通過できないことを表す。なお、本実施形態では、出入口９１Ｂ以外は全作業員Ｗが通過できるため、権限ＤＢ５３を設定しない。
【００４９】
録画ＤＢ５４は、各監視カメラ６が撮影した食品工場９の監視映像を記憶するデータベースである。この録画ＤＢ５４は、監視カメラ６により書き込まれ、録画検索・再生手段６６により参照される。
【００５０】
図５に戻り、管理装置５の構成について説明を続ける。
虹彩認証確認手段６０は、虹彩認証装置２から虹彩認証結果を入力し、入力した虹彩認証確認結果に含まれるＵＵＩＤが登録情報ＤＢ５０に登録されているか否かを確認するものである。ここで、虹彩認証確認手段６０は、そのＵＵＩＤが登録情報ＤＢ５０に登録されている場合、入力した虹彩認証確認結果をそのまま紐付け処理手段６２に出力する。一方、虹彩認証確認手段６０は、そのＵＵＩＤが登録情報ＤＢ５０に登録されていない場合、入力した虹彩認証確認結果を認証失敗に更新した後、紐付け処理手段６２に出力する。
【００５１】
カラービット確認手段６１は、カラービット読取装置４からカラービット読取結果を入力するものである。
ここで、カラービット確認手段６１は、カラービットカメラ３ＩＮのカラービット読取結果が入力された場合、そのカラービット読取結果を紐付け処理手段６２に出力する。
また、カラービット確認手段６１は、カラービットカメラ３Ａ，３Ｂのカラービット読取結果が入力された場合、そのカラービット読取結果を所在管理手段６３に出力する。
また、カラービット確認手段６１は、カラービットカメラ３ＯＵＴのカラービット読取結果が入力された場合、そのカラービット読取結果を紐付け解除手段６４に出力する。
【００５２】
紐付け処理手段６２は、カラービット確認手段６１からのカラービット読取結果に基づいて、カラービット読取装置４が作業員Ｗの識別情報を読み取れたか否かを判定するものである。そして、紐付け処理手段６２は、作業員Ｗの識別情報を読み取れた場合、紐付けＤＢ５１を参照し、読み取った作業員Ｗの識別情報が他の作業員Ｗに紐付けられていないか否かを判定する。さらに、紐付け処理手段６２は、虹彩認証確認手段６０からの虹彩認証結果に基づいて、虹彩認証装置２が作業員Ｗの虹彩認証に成功したか否かを判定する。
【００５３】
ここで、紐付け処理手段６２は、虹彩認証に成功し、かつ、読み取った識別情報が他の作業員Ｗに紐付けられていない場合、その作業員Ｗに食品工場９への入場を許可する。この場合、紐付け処理手段６２は、ゲート制御・警報手段６５にゲート９１ＩＮの開扉を指令する（開扉指令）。また、紐付け処理手段６２は、作業員Ｗの識別情報（カラービットＩＤ）と生体認証関連情報（ＵＵＩＤ）とを紐付けて紐付けＤＢ５１に登録する。さらに、紐付け処理手段６２は、その作業員Ｗが食品工場９に入場したことを所在管理ＤＢ５２に登録する。
【００５４】
一方、紐付け処理手段６２は、虹彩認証に失敗した場合、識別情報を読み取れない場合、又は、読み取った識別情報が他の作業員Ｗに紐付けられている場合、その作業員Ｗに食品工場９への入場を許可しない。この場合、紐付け処理手段６２は、ゲート制御・警報手段６５にゲート９１ＩＮでの警報出力を指令する（警報指令）。
【００５５】
所在管理手段６３は、カラービット確認手段６１からのカラービット読取結果に基づいて、カラービットカメラ３Ａの撮影画像から読み取った識別情報が紐付けＤＢ５１に登録されているか否かを判定するものである。
ここで、所在管理手段６３は、作業員Ｗの識別情報が紐付けＤＢ５１に登録されていない場合、作業員Ｗに製造室９０Ａへの入室を許可しないので、ゲート制御・警報手段６５に出入口９１Ａでの警報出力を指令する。
【００５６】
また、所在管理手段６３は、カラービットカメラ３Ａ１，３Ａ２の順で撮影画像から同一の識別情報を読み取った場合、その作業員Ｗが製造室９０Ａに入室したことを所在管理ＤＢ５２に登録する。
さらに、所在管理手段６３は、カラービットカメラ３Ａ２，３Ａ１の順で撮影画像から同一の識別情報を読み取った場合、その作業員Ｗが製造室９０Ａから退室したことを所在管理ＤＢ５２に登録する。
【００５７】
前記したように、倉庫９０Ｂには、入室権限が設定されている。そこで、所在管理手段６３は、倉庫９０Ｂに入室する作業員Ｗの入室権限判定処理を、以下の手順で行ってもよい。
まず、所在管理手段６３は、その作業員Ｗの識別情報が紐付けＤＢ５１に登録されているか否かを判定する。次に、所在管理手段６３は、権限ＤＢ５３を参照し、その作業員Ｗに倉庫９０Ｂへの入室権限が付与されているか否かを判定する。
ここで、所在管理手段６３は、入室権限が付与されている場合、ゲート制御・警報手段６５に出入口９１Ｂの開扉を指令し、その作業員Ｗが製造室９０Ａに入室したことを所在管理ＤＢ５２に登録する。
一方、所在管理手段６３は、入室権限が付与されていない場合、ゲート制御・警報手段６５に出入口９１Ｂでの警報出力を指令する。
なお、倉庫９０Ｂからの退室時の所在管理は、製造室９０Ａと同様のため、説明を省略する。
【００５８】
紐付け解除手段６４は、カラービット確認手段６１からのカラービット読取結果に基づいて、紐付けＤＢ５１における、食品工場９から退場する作業員ＷのＵＵＩＤと識別情報との紐付けを解除するものである。具体的には、紐付け解除手段６４は、ゲート制御・警報手段６５にゲート９１ＯＵＴの開扉を指令する。さらに、紐付け解除手段６４は、紐付けＤＢ５１から、その作業員Ｗの識別情報とＵＵＩＤとを削除する。
【００５９】
ゲート制御・警報手段６５は、紐付け処理手段６２、所在管理手段６３又は紐付け解除手段６４からの指令に基づいて、セキュリティゲートや警告灯７を制御するものである。
ここで、ゲート制御・警報手段６５は、開扉指令が入力された場合、指令されたセキュリティゲートや電子錠付き扉をオープンし、警告灯７を緑色で点灯させる。そして、ゲート制御・警報手段６５は、所定の時間が経過した後、そのセキュリティゲートや電子錠付き扉を閉じる。
また、ゲート制御・警報手段６５は、警報指令が入力された場合、指令された警告灯７を赤色で点滅させる。このとき、ゲート制御・警報手段６５は、警備員や管理者が即座に対応できるように、警備員や管理者に任意の方法で通報することによって、警備員や管理者が即座に対応して事故等を防止できる。
【００６０】
録画検索・再生手段６６は、図示を省略したキーボード、マウス等の操作手段を用いて検索条件を設定し、設定した検索条件で所在管理ＤＢ５２を検索するものである。そして、録画検索・再生手段６６は、所在管理ＤＢ５２から検索された区域・時刻の監視映像を録画ＤＢ５４から取得し、取得した監視映像を再生する。
【００６１】
虹彩ＤＢ取込手段６７は、虹彩認証システム８から虹彩ＤＢ８０を取り込んで、登録情報ＤＢ５０に登録するものである。例えば、虹彩ＤＢ取込手段６７は、夜間バッチ処理により虹彩ＤＢ８０のデータを取り込む。
【００６２】
［認証システムの動作：入場時の紐付け処理］
図９を参照し、作業員Ｗが食品工場９に入場するときの紐付け処理について、説明する（適宜図２，図５参照）。
【００６３】
作業員Ｗは、サニタリールーム９０Ｓにおいて、所定の衛生処理（例えば、衛生装備の着用、手の消毒）を行った後、一方の瞳を虹彩認証装置２に近づける。
図９に示すように、虹彩認証装置２は、作業員Ｗの虹彩情報を生成し、生成した虹彩情報を虹彩認証システム８に出力する。すると、虹彩認証システム８は、虹彩認証装置２からの虹彩情報を照合し、虹彩認証結果として、認証の成否及び作業員ＷのＵＵＩＤを虹彩認証装置２に出力する（ステップＳ１）。
【００６４】
このとき、カラービットカメラ３ＩＮは、虹彩認証中の作業員Ｗに付されたカラービットＣＢを撮影する（ステップＳ２）。
カラービット読取装置４は、ステップＳ２で撮影したカラービット画像から、食品工場９に入場する作業員Ｗの識別情報を読み取る（ステップＳ３）。
【００６５】
虹彩認証確認手段６０は、ステップＳ１で入力した虹彩認証確認結果のＵＵＩＤが登録情報ＤＢ５０に登録されているか否かを確認する。ここで、虹彩認証確認手段６０は、そのＵＵＩＤが登録情報ＤＢ５０に登録されていない場合、ステップＳ１の虹彩認証確認結果を認証失敗に更新する（ステップＳ４）。
紐付け処理手段６２は、虹彩認証結果に基づいて作業員Ｗの虹彩認証に成功したか否かを判定する（ステップＳ５）。
虹彩認証に成功した場合（ステップＳ５でＹｅｓ）、紐付け処理手段６２は、ステップＳ３で作業員Ｗの識別情報を読み取れたか否かを判定する（ステップＳ６）。
【００６６】
識別情報の読み取りに成功した場合（ステップＳ６でＹｅｓ）、紐付け処理手段６２は、紐付けＤＢ５１を参照し、読み取った識別情報が他の作業員Ｗに紐付けられていないか否かを判定する。つまり、紐付け処理手段６２は、カラービットＣＢが同時使用されていないか否かを判定する（ステップＳ７）。
なお、ステップＳ５の処理は、ステップＳ６又はステップＳ７の後に行ってもよい。
【００６７】
同時使用されていない場合（ステップＳ７でＹｅｓ）、紐付け処理手段６２は、その作業員Ｗに食品工場９への入場を許可するので、ゲート制御・警報手段６５にゲート９１ＩＮの開扉を指令する。すると、ゲート制御・警報手段６５は、ゲート９１ＩＮをオープンし、警告灯７ＩＮを緑色で点灯させる（ステップＳ８）。
紐付け処理手段６２は、ステップＳ１のＵＵＩＤと、ステップＳ３で読み取った識別情報とを紐付けＤＢ５１に登録する。また、紐付け処理手段６２は、その作業員Ｗが食品工場９に入場したことを所在管理ＤＢ５２に登録する（ステップＳ９）。
【００６８】
紐付け処理手段６２は、虹彩認証に失敗（ステップＳ５でＮｏ）、識別情報の読み取りに失敗（ステップＳ６でＮｏ）、又は、同時使用の場合（ステップＳ７でＮｏ）、ステップＳ１０の処理を行う。
この場合、紐付け処理手段６２は、その作業員Ｗに食品工場９への入場を許可しないので、ゲート制御・警報手段６５にゲート９１ＩＮでの警報出力を指令する。すると、ゲート制御・警報手段６５は、ゲート９１ＩＮに併設した警告灯７ＩＮを赤色で点滅させる（ステップＳ１０）。
【００６９】
このように、認証システム１は、虹彩認証と、カラービットＣＢによる認証とを併用するので、衛生装備を着用した作業員ＷがカラービットＣＢに触れる必要がなく、衛生管理が求められる食品工場９でも利用できる。さらに、認証システム１は、カラービットカメラ３ＩＮ及び虹彩認証装置２を併設したので、作業員Ｗのなりすましを抑制できる。
【００７０】
［認証システムの動作：所在管理処理］
図１０を参照し、作業員Ｗが製造室９０Ａに入退室するときの所在管理処理について、説明する（適宜図３，図５参照）。
【００７１】
図１０に示すように、カラービットカメラ３Ａ１は、作業員Ｗに付されたカラービットＣＢを撮影する（ステップＳ２０）。
カラービット読取装置４は、ステップＳ２０で撮影したカラービット画像から、作業員Ｗの識別情報を読み取る（ステップＳ２１）。
所在管理手段６３は、ステップＳ２１で作業員Ｗの識別情報を読み取れたか否かを判定する（ステップＳ２２）。
【００７２】
識別情報の読み取りに成功した場合（ステップＳ２２でＹｅｓ）、カラービットカメラ３Ａ２は、作業員Ｗに付されたカラービットＣＢを撮影する（ステップＳ２３）。
カラービット読取装置４は、ステップＳ２３で撮影したカラービット画像から、作業員Ｗの識別情報を読み取る（ステップＳ２４）。
所在管理手段６３は、ステップＳ２４で作業員Ｗの識別情報を読み取れたか否かを判定する（ステップＳ２５）。
【００７３】
識別情報の読み取りに成功した場合（ステップＳ２５でＹｅｓ）、所在管理手段６３は、識別情報を読み取った順番を判定する。つまり、カラービット読取装置４は、作業員Ｗが出入口９１Ａを通過した方向を判定する（ステップＳ２６）。
【００７４】
順番が内側から外側の場合（ステップＳ２６で内→外）、所在管理手段６３は、その作業員Ｗが製造室９０Ａから退室したことを所在管理ＤＢ５２に登録する（ステップＳ２７）。
順番が外側から内側の場合（ステップＳ２６で外→内）、所在管理手段６３は、その作業員Ｗが製造室９０Ａに入室したことを所在管理ＤＢ５２に登録する（ステップＳ２８）。
【００７５】
なお、ステップＳ２７，Ｓ２８において、所在管理手段６３は、内側と外側で識別情報の読み取り時間差を求め、この差が所定の閾値以上となった場合のみ、作業員Ｗの入退室を所在管理ＤＢ５２に登録してもよい。
【００７６】
識別情報の読み取りに失敗した場合（ステップＳ２２，Ｓ２５でＮｏ）、所在管理手段６３は、その作業員Ｗに製造室９０Ａへの入室を許可しないので、ゲート制御・警報手段６５に出入口９１Ａでの警報出力を指令する。すると、ゲート制御・警報手段６５は、出入口９１Ａに併設した警告灯７Ａを赤色で点滅させる（ステップＳ２９）。
なお、倉庫９０Ｂでも同様の所在管理処理を行うことができる。
【００７７】
このように、認証システム１は、製造室９０Ａに入退室する作業員ＷがカラービットＣＢに触れることなく、作業員Ｗの所在管理を行うことができる。これにより、認証システム１は、で、衛生管理が求められる食品工場９での安全性をより向上させることができる。さらに、認証システム１は、カラービットＣＢに手を触れることなく作業員Ｗが製造室９０Ａに入退室できるので、カラービットＣＢが紛失しにくく、カラービットＣＢが異物混入の原因となる事態を低減できる。
【００７８】
［認証システムの動作：退場時の紐付け解除処理］
図１１を参照し、作業員Ｗが食品工場９から退場するときの紐付け解除処理について、説明する（適宜図４，図５参照）。
【００７９】
図１１に示すように、カラービットカメラ３ＯＵＴは、サニタリールーム９０Ｓに入室する作業員ＷのカラービットＣＢを撮影する（ステップＳ３０）。
カラービット読取装置４は、ステップＳ３０で撮影したカラービット画像から、作業員Ｗの識別情報を読み取る（ステップＳ３１）。
紐付け解除手段６４は、ステップＳ３１で作業員Ｗの識別情報を読み取れたか否かを判定する（ステップＳ３２）。
【００８０】
識別情報の読み取りに成功した場合（ステップＳ３２でＹｅｓ）、紐付け処理手段６２は、その作業員Ｗに食品工場９からの退場を許可するので、ゲート制御・警報手段６５にゲート９１ＯＵＴの開扉を指令する。すると、ゲート制御・警報手段６５は、ゲート９１ＯＵＴをオープンし、警告灯７ＯＵＴを緑色で点灯させる（ステップＳ３３）。
紐付け解除手段６４は、紐付けＤＢ５１において、ステップＳ３１の識別情報と、作業員ＷのＵＵＩＤとの紐付けを解除する（ステップＳ３４）。
【００８１】
識別情報の読み取りに失敗した場合（ステップＳ３２でＮｏ）、紐付け解除手段６４は、その作業員Ｗに食品工場９からの退場を許可しないので、ゲート制御・警報手段６５にゲート９１ＯＵＴでの警報出力を指令する。すると、ゲート制御・警報手段６５は、ゲート９１ＯＵＴに併設した警告灯７ＯＵＴを点滅させる（ステップＳ３５）。
【００８２】
このように、認証システム１は、作業員Ｗが食品工場９から退場すると、紐付けを解除するので、作業員Ｗのなりすましを抑制できる。さらに、認証システム１は、紐付けを解除した後、そのカラービットＣＢに別の作業員Ｗの識別情報を割り当てることで、パターン数が有限のカラービットＣＢを有効活用できる。
【００８３】
(変形例)
以上、本発明の実施形態を詳述してきたが、本発明は前記した実施形態に限られるものではなく、本発明の要旨を逸脱しない範囲の設計変更等も含まれる。
前記した実施形態では、非接触の生体認証が虹彩認証であることとして説明したが、これに限定されない。
前記した実施形態では、認証システムの管理区域が食品工場であることとして説明したが、管理区域はこれに限定されない。例えば、管理区域は、製薬工場等の衛生管理が求められる区画であってもよい。さらに、管理区域に含まれる小区画の数も限定されず、４以上の小区域を有してもよい。
【００８４】
前記した実施形態では、認証システムが作業員の認証を行うこととして説明したが、認証対象となる人物は特に限定されない。
前記した実施形態では、警告灯を用いることとして説明したが、警告方法は、これに限定されない。
前記した実施形態では、識別媒体がカラービットであることとして説明したが、識別媒体はこれに限定されない。例えば、識別媒体として、ＱＲコード（登録商標）やバーコードを用いてもよい。
【符号の説明】
【００８５】
１  認証装置
２  虹彩認証装置（非接触型生体認証装置）
３  カラービットカメラ
３ＩＮ  カラービットカメラ（第１撮影カメラ）
３Ａ，３Ａ１，３Ａ２，３Ｂ，３Ｂ１，３Ｂ２  カラービットカメラ（第２撮影カメラ）
３ＯＵＴ  カラービットカメラ（第３撮影カメラ）
４  カラービット読取装置（識別情報読取装置）
５  管理装置
６  監視カメラ
７  警告灯
８  虹彩認証システム
９  食品工場（管理区域）
５０  登録情報ＤＢ
５１  紐付けＤＢ（関連付けデータベース）
５２  所在管理ＤＢ（所在管理データベース）
５３  権限ＤＢ
５４  録画ＤＢ
６０  虹彩認証確認手段
６１  カラービット確認手段
６２  紐付け処理手段（関連付け処理手段）
６３  所在管理手段
６４  紐付け解除手段（関連付け解除手段）
６５  ゲート制御・警報手段
６６  録画検索・再生手段
６７  虹彩ＤＢ取込手段
８０  虹彩ＤＢ
【図１】
2019204380.tif 000003
【図２】
2019204380.tif 000004
【図３】
2019204380.tif 000005
【図４】
2019204380.tif 000006
【図５】
2019204380.tif 000007
【図６】
2019204380.tif 000008
【図７】
2019204380.tif 000009
【図８】
2019204380.tif 000010
【図９】
2019204380.tif 000011
【図１０】
2019204380.tif 000012
【図１１】
2019204380.tif 000013